【手続補正書】
【提出日】平成24年5月11日(2012.5.11)
【手続補正１】
【補正対象書類名】特許請求の範囲
【補正対象項目名】全文
【補正方法】変更
【補正の内容】
【特許請求の範囲】
【請求項１】
無線通信システムにおける移動局が周波数バンドを管理する方法であって、
基本周波数バンドを用いて基地局から第１のサブ周波数バンドに関する情報を含む第１の制御メッセージを受信するステップと、
前記移動局で前記第１のサブ周波数バンドを用いる準備ができていることを前記基地局に示す周波数管理指示メッセージを、前記基地局へ送信するステップと、
前記基地局から前記第１のサブ周波数バンドと異なる第２のサブ周波数バンドに関する情報を含む第２の制御メッセージが受信される場合、前記基本周波数バンドと前記第２のサブ周波数バンドに関する情報による前記第２のサブ周波数バンドを用いて前記基地局との通信を遂行するステップと、
を具備することを特徴とする周波数バンド管理方法。
【請求項２】
前記第２の制御メッセージは、前記周波数管理指示メッセージが所定時間間隔内で前記基地局に受信されない場合、前記基地局から受信されることを特徴とする請求項１に記載の周波数バンド管理方法。
【請求項３】
前記周波数管理指示メッセージを前記基地局へ送信するステップは、
前記第１のサブ周波数バンドが活性化されてデータトラフィックの送信のために使用される準備ができている場合、前記基本周波数バンドを用いて前記周波数管理指示メッセージを前記基地局に送信するステップを具備することを特徴とする請求項１又は２に記載の周波数バンド管理方法。
【請求項４】
前記第２のサブ周波数バンドに関する情報は前記第２のサブ周波数バンドの識別子を含むことを特徴とする請求項１乃至３のいずれか１項に記載の周波数バンド管理方法。
【請求項５】
前記周波数管理指示メッセージは、帯域幅要求ヘッダーとアップリンクデータのうちいずれか一つを用いて送信されることを特徴とする請求項１乃至４のいずれか１項に記載の周波数バンド管理方法。
【請求項６】
前記周波数管理指示メッセージの送信のための帯域幅割り当てを要求する帯域幅要求コードを送信すると同時に、前記帯域幅要求コードに対する応答の受信を待機する第１のタイマを開始するステップと、
前記第１のタイマが満了する前に前記帯域幅要求コードに対する前記応答が受信されたか否かを判定するステップと、
前記第１のタイマの満了以前に前記帯域幅要求コードに対する前記応答が受信されない場合、前記周波数管理指示メッセージの送信失敗を検出するステップと、
をさらに具備することを特徴とする請求項１乃至５のいずれか１項に記載の周波数バンド管理方法。
【請求項７】
前記第１のタイマの満了以前に前記帯域幅要求コードに対する応答が受信される場合、前記周波数管理指示メッセージを送信すると同時に前記周波数管理指示メッセージの送信に対する応答の受信を待機する第２のタイマを開始するステップと、
前記第２のタイマの満了以前に前記周波数管理指示メッセージに対する応答が受信されたか否かを判定するステップと、
前記第２のタイマの満了以前に前記周波数管理指示メッセージに対する応答が受信されていない場合、前記準備指示メッセージの送信失敗を検出するステップと、
をさらに具備することを特徴とする請求項６に記載の周波数バンド管理方法。
【請求項８】
前記周波数管理指示メッセージの送信失敗が検出される場合、前記基地局に前記第１のサブ周波数バンドに対する失敗インジケータを送信するステップをさらに具備することを特徴とする請求項６又は７に記載の周波数バンド管理方法。
【請求項９】
無線移動通信システムにおける基地局が周波数バンドを管理する方法であって、
基本周波数バンドを用いて第１のサブ周波数バンドに関する情報を含む第１の制御メッセージを移動局に送信するステップと、
所定の時間間隔内で前記移動局が前記第１のサブ周波数バンドを用いる準備ができていることを前記基地局に示す周波数管理指示メッセージを前記移動局から受信したか否かを判定するステップと、
前記所定時間間隔内で前記周波数管理指示メッセージを受信していないと、前記第１のサブ周波数バンドと異なる第２のサブ周波数バンドに関する情報を含む第２の制御メッセージを前記移動局に送信するステップと、
前記基本周波数バンドと前記第２のサブ周波数バンドに関する情報による前記第２のサブ周波数バンドを用いて前記移動局との通信を遂行するステップと、
を具備することを特徴とする周波数バンド管理方法。
【請求項１０】
前記所定時間間隔内で前記周波数管理指示メッセージを受信した場合、前記基本周波数バンドと前記第１のサブ周波数バンドを用いて前記移動局と通信を遂行するステップをさらに具備することを特徴とする請求項９に記載の周波数バンド管理方法。
【請求項１１】
前記第２の制御メッセージを前記移動局に送信するステップは、
前記所定時間間隔内で前記周波数管理指示メッセージを受信しない場合、前記第１のサブ周波数バンドの活性化が失敗したことを判断し、前記第２の制御メッセージを前記移動局に送信するステップを具備することを特徴とする請求項９又は１０に記載の周波数バンド管理方法。
【請求項１２】
前記第２のサブ周波数バンドに関する情報は前記第２のサブ周波数バンドの識別子を含むことを特徴とする請求項９乃至１１のいずれか１項に記載の周波数バンド管理方法。
【請求項１３】
前記周波数管理指示メッセージは、帯域幅要求ヘッダー及びアップリンクデータのうちいずれか一つを用いて受信されることを特徴とする請求項９乃至１２のいずれか１項に記載の周波数バンド管理方法。
【請求項１４】
前記判定するステップは、
前記第１の制御メッセージを送信すると同時に前記周波数管理指示メッセージの受信を待機する第１のタイマを開始するステップと、
前記第１のタイマの満了以前に前記周波数管理指示メッセージが受信されたか否かを検出するステップと、
前記第１のタイマの満了以前に前記周波数管理指示メッセージが受信されていない場合、前記周波数管理指示メッセージを前記所定時間間隔内で受信しなかったことを検出するステップと、
を具備することを特徴とする請求項９乃至１３のいずれか１項に記載の周波数バンド管理方法。
【請求項１５】
無線移動通信システムにおける移動局であって、
基本周波数バンドを用いて基地局から第１のサブ周波数バンドに関する情報を含む第１の制御メッセージを受信する受信部と、
前記移動局で前記第１のサブ周波数バンドを用いる準備ができていることを前記基地局に示す周波数管理指示メッセージを前記基地局へ送信する送信部と、
前記基地局から前記第１のサブ周波数バンドと異なる第２のサブ周波数バンドに関する情報を含む第２の制御メッセージが受信された場合、前記基本周波数バンドと前記第２のサブ周波数バンドに関する情報による前記第２のサブ周波数バンドを用いて前記基地局との通信を遂行するように前記受信部と送信部を制御する制御部と、
を含むことを特徴とする移動局。
【請求項１６】
前記第２の制御メッセージは、前記周波数管理指示メッセージが所定時間区間内で前記基地局に受信されない場合に前記基地局から受信されることを特徴とする請求項１５に記載の移動局。
【請求項１７】
前記送信部は、前記第１のサブ周波数バンドが活性化されてデータトラフィックの送信のために使用される準備ができている場合、前記基本周波数バンドを用いて前記周波数管理指示メッセージを前記基地局に送信することを特徴とする請求項１５又は１６に記載の移動局。
【請求項１８】
前記第２のサブ周波数バンドに関する情報は前記第２のサブ周波数バンドの識別子を含むことを特徴とする請求項１５乃至１７のいずれか１項に記載の移動局。
【請求項１９】
前記周波数管理指示メッセージは、帯域幅要求ヘッダーとアップリンクデータのうちいずれか一つを用いて送信されることを特徴とする請求項１５乃至１８のいずれか１項に記載の移動局。
【請求項２０】
前記制御部は、
前記周波数管理指示メッセージの送信のための帯域幅割り当てを要求する帯域幅要求コードを送信すると同時に、前記帯域幅要求コードに対する応答の受信を待機する第１のタイマを開始し、
前記第１のタイマが満了する前に前記帯域幅要求コードに対する前記応答が受信されたか否かを判定し、
前記第１のタイマの満了以前に前記帯域幅要求コードに対する前記応答が受信されない場合、前記周波数管理指示メッセージの送信失敗を検出することを特徴とする請求項１５乃至１９のいずれか１項に記載の移動局。
【請求項２１】
前記制御部は、
前記第１のタイマの満了以前に前記帯域幅要求コードに対する応答が受信される場合、前記周波数管理指示メッセージを送信すると同時に前記周波数管理指示メッセージに対する応答受信を待機する第２のタイマを開始し、
前記第２のタイマの満了以前に前記周波数管理指示メッセージに対する応答が受信されたか否かを判定し、
前記第２のタイマの満了以前に前記周波数管理指示メッセージに対する応答が受信されていない場合、前記周波数管理指示メッセージの送信失敗を検出することを特徴とする請求項２０に記載の移動局。
【請求項２２】
前記制御部は、前記周波数管理指示メッセージの送信失敗が検出される場合、前記基地局に前記第１のサブ周波数バンドに対する失敗インジケータを送信するように前記送信部を制御することを特徴とする請求項２０又は２１に記載の移動局。
【請求項２３】
無線移動通信システムにおける基地局であって、
受信部と、
基本周波数バンドを用いて第１のサブ周波数バンドに関する情報を含む第１の制御メッセージを移動局に送信する送信部と、
所定の時間間隔内で前記移動局が前記第１のサブ周波数バンドを使用する準備ができていることを前記基地局に示す周波数管理指示メッセージを受信したか否かを検出し、前記所定時間間隔内で前記周波数管理指示メッセージを受信していないと、前記第１のサブ周波数バンドと異なる第２のサブ周波数バンドに関する情報を含む第２の制御メッセージを前記移動局に送信し、前記基本周波数バンドと前記第２のサブ周波数バンドに関する情報による前記第２のサブ周波数バンドを用いて前記移動局との通信を遂行するように前記受信部及び送信部を制御する制御部と、
を含むことを特徴とする基地局。
【請求項２４】
前記制御部は、前記所定時間間隔内で前記周波数管理指示メッセージを受信した場合、前記基本周波数バンドと前記第１のサブ周波数バンドを用いて前記移動局と通信を遂行することを特徴とする請求項２３に記載の基地局。
【請求項２５】
前記制御部は、前記所定時間間隔内で前記周波数管理指示メッセージを受信しない場合、前記第１のサブ周波数バンドの活性化が失敗したと判断し、前記第２の制御メッセージを前記移動局へ送信するように前記送信部を制御することを特徴とする請求項２３又は２４に記載の基地局。
【請求項２６】
前記第２のサブ周波数バンドに関する情報は前記第２のサブ周波数バンドの識別子を含むことを特徴とする請求項２３乃至２５のいずれか１項に記載の基地局。
【請求項２７】
前記周波数管理指示メッセージは、帯域幅要求ヘッダーとアップリンクデータのうちいずれか一つを用いて受信されることを特徴とする請求項２３乃至２６のいずれか１項に記載の基地局。
【請求項２８】
前記制御部は、
前記第１の制御メッセージを送信すると同時に前記周波数管理指示メッセージの受信を待機する第１のタイマを開始し、
前記第１のタイマの満了以前に前記周波数管理指示メッセージが受信されたか否かを検出し、
前記第１のタイマの満了以前に前記周波数管理指示メッセージが受信されていない場合、前記周波数管理指示メッセージを前記所定時間間隔内で受信しなかったことを検出することを特徴とする請求項２３乃至２７のいずれか１項に記載の基地局。